(57)【要約】【課題】商用交流電源を入力する電源コードを着脱自在とする電源コード接続部を備えた炊飯器において、電源コード接続部において容易に電源コードの着脱ができるようにし、かつ電源コードが電源コード接続部での着脱を使用者が認知しやすくし、使い勝手を向上する。【解決手段】被加熱物を入れる鍋１を加熱手段２により加熱し、商用交流電源４を入力する電源コード６を電源コード接続部５により着脱自在とし、商用交流電源４からの入力を直流電源回路３により直流電力に変換し、制御手段１１により所定のシーケンスにより炊飯器の動作を制御するとともに、電源回路１２より電力を供給される報知手段１０を制御する。商用交流電源４からの入力の有無により停電を検知する停電検知手段７が商用交流電源４の通電状態から所定の時間以上停電を検知すると、報知手段１０により報知するよう構成する。【選択図】  図１
2004313377.tif 000002
【特許請求の範囲】
【請求項１】
被加熱物を入れる鍋と、前記鍋を加熱する加熱手段と、商用交流電源からの入力を直流電力に変換する直流電源回路と、前記商用交流電源を入力する電源コードを着脱自在とする電源コード接続部と、前記商用交流電源からの入力の有無により停電を検知する停電検知手段と、前記直流電源回路により電力を供給され所定のシーケンスにより炊飯器の動作を制御する制御手段と、複数のキーからなる入力手段と、前記制御手段により制御される報知手段と、報知手段に電力を供給する電源回路とを備え、前記停電検知手段が商用交流電源の通電状態から所定の時間以上停電を検知すると、前記報知手段により報知するよう構成した炊飯器。
【請求項２】
所定の機器動作モードにおいて、停電検知手段が商用交流電源の通電状態から停電を検知すると、報知手段により報知するよう構成した請求項１記載の炊飯器。
【請求項３】
停電検知手段が商用交流電源の通電状態から停電を検知したとき報知手段により報知する鳴動パターンは、他の鳴動パターンと異なるようにした請求項１または２記載の炊飯器。
【請求項４】
被加熱物を入れる鍋と、前記鍋を加熱する加熱手段と、商用交流電源からの入力を直流電力に変換する直流電源回路と、前記商用交流電源を入力する電源コードを着脱自在とする電源コード接続部と、前記商用交流電源からの入力の有無により停電を検知する停電検知手段と、前記直流電源回路により電力を供給され所定のシーケンスにより炊飯器の動作を制御する制御手段と、複数のキーからなる入力手段と、前記制御手段により制御される報知手段とを備え、前記停電検知手段が商用交流電源の所定の時間以上の停電状態からの復電を検知すると、前記報知手段により報知するよう構成した炊飯器。
【請求項５】
停電検知手段が商用交流電源の停電状態からの復電を検知したとき報知手段により報知する鳴動パターンは、他の鳴動パターンと異なるようにした請求項４記載の炊飯器。
【請求項６】
請求項１または２記載の停電検知手段が所定の時間以上停電を検知したとき報知手段により報知する鳴動パターンと、請求項４記載の停電検知手段が所定の時間以上の停電状態からの復電を検知したとき報知手段により報知する鳴動パターンとを同じにした炊飯器。
【発明の詳細な説明】
【０００１】
【発明の属する技術分野】
本発明は、商用交流電源を入力する電源コードを着脱自在とする電源コード接続部を備えた炊飯器に関するものである。
【０００２】
【従来の技術】
近年、炊飯器は台所に設置されたままの状態で使用されるばかりでなく、炊飯器本体を食卓など食事をとる場所に移動して使用する使用者が少なくない。このような使用実態にあわせ、炊飯器の電源コードを炊飯器本体と容易に着脱可能とする炊飯器がある。
【０００３】
従来、この種の炊飯器は図８に示すように構成していた。以下、その構成について説明する。
【０００４】
図８に示すように、鍋１は被加熱物を入れるもので、加熱手段２により鍋１を加熱する。直流電源回路３は商用交流電源４からの入力を直流電力に変換するものであり、電源コード接続部５は商用交流電源４を入力する電源コード６を容易に着脱自在とするもので、マグネットプラグなどで構成している。停電検知手段７は商用交流電源４からの入力により商用交流電源４のゼロボルト（以下、ＺＶＰと略す）付近でパルス波形を発生し、このパルスの有無により停電を検知するよう構成している。制御手段８は直流電源回路３により電力を供給され、複数のキーからなる入力手段９からの入力により所定のシーケンスにより炊飯器の動作を制御する。報知手段１０は制御手段８により制御される。
【０００５】
上記構成において、使用者が入力手段９を操作し、キー入力を受け付けると制御手段８は報知手段１０を駆動し、所定の鳴動パターンにより使用者に積極的にキー操作の受け付けを報知する。また、炊飯が終了したことを使用者に知らせるため、炊飯終了を知らせる所定の鳴動パターンにより報知手段１０を駆動する。
【０００６】
一方、電源コード６により商用交流電源４と電源コード接続部５間が正常に接続されている状態から、何らかの原因で電源コード接続部５で電源コード６がはずれたとしても積極的に報知手段１０により使用者に認知させることはない。また、電源コード接続部５に電源コード６が接続されていない状態から、商用交流電源４と電源コード接続部５間を電源コード６により正常に接続しても正しく接続されていることを積極的に報知手段１０により使用者に知らせることはない（例えば、特許文献１参照）。
【０００７】
【特許文献１】
特開昭６２−２９８７７５号公報（第２頁）
【０００８】
【発明が解決しようとする課題】
この種の炊飯器では、電源コード接続部５において容易に電源コード６の着脱が行える反面、使用者の意図に反し電源コード６が電源コード接続部５で脱落したことや、電源コード６が電源コード接続部５に接続されているかどうかを使用者が気づきにくく、炊飯中などに電源コード６の脱落に気付かない場合には、電源コード６の脱落により炊飯が中断されることからご飯の炊き上がりの出来栄えに影響を与えるばかりでなく、食事の準備が整っているにも関わらずご飯が炊けていない事態を招き得るという問題を有していた。
【０００９】
本発明は上記従来の課題を解決するもので、電源コード接続部において容易に電源コードの着脱ができるようにし、かつ電源コードが電源コード接続部での着脱を使用者が認知しやすくし、使い勝手を向上することを目的としている。
【００１０】
【課題を解決するための手段】
本発明は上記目的を達成するために、被加熱物を入れる鍋を加熱手段により加熱し、商用交流電源を入力する電源コードを電源コード接続部により着脱自在とし、商用交流電源からの入力を直流電源回路により直流電力に変換し、直流電源回路により電力を供給される制御手段により所定のシーケンスにより炊飯器の動作を制御するとともに、電源回路より電力を供給される報知手段を制御するよう構成し、商用交流電源からの入力の有無により停電を検知する停電検知手段が商用交流電源の通電状態から所定の時間以上停電を検知すると、報知手段により報知するよう構成したものである。
【００１１】
これにより、電源コード接続部において容易に電源コードの着脱ができるとともに、電源コードが電源コード接続部での着脱を使用者が認知しやすくすることができ、電源コードが電源コード接続部で脱落したとしても報知音により気づくことができ、使い勝手を向上することができる。
【００１２】
【発明の実施の形態】
本発明の請求項１に記載の発明は、被加熱物を入れる鍋と、前記鍋を加熱する加熱手段と、商用交流電源からの入力を直流電力に変換する直流電源回路と、前記商用交流電源を入力する電源コードを着脱自在とする電源コード接続部と、前記商用交流電源からの入力の有無により停電を検知する停電検知手段と、前記直流電源回路により電力を供給され所定のシーケンスにより炊飯器の動作を制御する制御手段と、複数のキーからなる入力手段と、前記制御手段により制御される報知手段と、報知手段に電力を供給する電源回路とを備え、前記停電検知手段が商用交流電源の通電状態から所定の時間以上停電を検知すると、前記報知手段により報知するよう構成したものであり、電源コード接続部において容易に電源コードの着脱ができるとともに、停電検知手段が商用交流電源の通電状態から所定の時間以上停電を検知した場合、電源コードの電源コード接続部からの脱落とみなし、電源コードの脱落を報知手段により報知することで、電源コードが電源コード接続部での着脱を使用者が認知しやすくすることができ、電源コードが電源コード接続部で脱落したとしても報知音により気づくことができて、使い勝手を向上することができる。
【００１３】
請求項２に記載の発明は、上記請求項１に記載の発明において、所定の機器動作モードにおいて、停電検知手段が商用交流電源の通電状態から停電を検知すると、報知手段により報知するよう構成したものであり、必ずしも電源コードを電源コード接続部から外すたびに報知音が鳴動しないことになり、使用者に与える不快感を軽減することができる。
【００１４】
請求項３に記載の発明は、上記請求項１または２に記載の発明において、停電検知手段が商用交流電源の通電状態から停電を検知したとき報知手段により報知する鳴動パターンは、他の鳴動パターンと異なるようにしたものであり、使用者は電源コードが電源コード接続部から脱落したことをより容易に認識することができる。
【００１５】
請求項４に記載の発明は、被加熱物を入れる鍋と、前記鍋を加熱する加熱手段と、商用交流電源からの入力を直流電力に変換する直流電源回路と、前記商用交流電源を入力する電源コードを着脱自在とする電源コード接続部と、前記商用交流電源からの入力の有無により停電を検知する停電検知手段と、前記直流電源回路により電力を供給され所定のシーケンスにより炊飯器の動作を制御する制御手段と、複数のキーからなる入力手段と、前記制御手段により制御される報知手段とを備え、前記停電検知手段が商用交流電源の所定の時間以上の停電状態からの復電を検知すると、前記報知手段により報知するよう構成したものであり、電源コード接続部において容易に電源コードの着脱ができるとともに、電源コードが電源コード接続部での着脱を使用者が認知しやすくすることができ、使用者は電源コードが電源コード接続部に接続されたことを報知音により認識することができ、使い勝手を向上することができる。
【００１６】
請求項５に記載の発明は、上記請求項４に記載の発明において、停電検知手段が商用交流電源の停電状態からの復電を検知したとき報知手段により報知する鳴動パターンは、他の鳴動パターンと異なるようにしたものであり、使用者は電源コードが電源コード接続部に接続されたことをより容易に認識することができる。
【００１７】
請求項６に記載の発明は、請求項１または２記載の停電検知手段が所定の時間以上停電を検知したとき報知手段により報知する鳴動パターンと、請求項４記載の停電検知手段が所定の時間以上の停電状態からの復電を検知したとき報知手段により報知する鳴動パターンとを同じにしたものであり、使用者は電源コードのみに関する操作を行ったことを認識することができる。
【００１８】
【実施例】
以下、本発明の実施例について、図面を参照しながら説明する。なお、従来例と同じ構成のものは同一符号を付して説明を省略する。
【００１９】
（実施例１）
図１に示すように、制御手段１１は、直流電源回路３により電力を供給され、複数のキーからなる入力手段９からの入力により所定のシーケンスにより炊飯器の動作を制御するとともに、停電検知手段７が商用交流電源４の通電状態から所定の時間（例えば、２００ミリ秒）以上停電を検知すると、報知手段１０により報知するよう構成している。電源回路１２は停電後であっても報知手段１０へ電力を供給するものである。
【００２０】
上記構成において動作を説明する。電源コード６が商用交流電源４と電源コード接続部５に接続されている状態では、制御手段１１は停電検知手段７からのＺＶＰ入力により電源コード６が電源コード接続部５に接続されていると判断しており、この状態において使用者は炊飯器を使用することができる。使用者は入力手段９での入力により制御手段１１を制御することで、炊飯や保温を開始、あるいは停止させることができる。
【００２１】
制御手段１１は入力手段９での入力受付を使用者に認知させるために、報知手段１０を（０．１秒オン）の１回の鳴動パターンにて駆動する。また、使用者に炊飯が終了したことを認知させるために、報知手段１０を（０．１秒オン−０．１秒オフ−０．５秒オン−０．５秒オフ）の６回繰り返しの鳴動パターンにて駆動する。
【００２２】
つぎに、電源コード６が電源コード接続部５から脱落したときの動作を説明する。制御手段１１は停電検知手段７からのＺＶＰ入力が途絶えることで、停電と判断する。ここで、制御手段１１は炊飯器を停電時における所定の状態となるための処理を行うが、この処理の一つとしてプラグ抜け報知処理を行う。図２はプラグ抜け報知の要部を示すフローチャートである。
【００２３】
まず、ステップ２０１にて停電時間カウンタとＺＶＰ回数カウンタをクリアする。ステップ２０２では停電検知手段７からのＺＶＰ入力の有無によりステップ２０３とステップ２０４に分岐する。ステップ２０３ではＺＶＰ回数カウンタを加算し、ステップ２０４では停電時間カウンタを加算し、ともにステップ２０５に進み、ステップ２０５で１０ｍｓ（ミリ秒）のディレイを行った後、ステップ２０６に進む。
【００２４】
ステップ２０６でＺＶＰ回数カウンタが３２以上であれば復電したとみなし、復電処理に移行する。ステップ２０６でＺＶＰ回数カウンタが３２未満であればステップ２０７で停電時間カウンタの確認を行う。ステップ２０７で停電時間カウンタが２０未満、すなわち停電時間が少なくとも２００ｍｓ未満であればステップ２０２に戻る。ステップ２０７で停電時間が少なくとも２００ｍｓ以上であったと判断するとステップ２０８に進む。ステップ２０７で停電時間が２００ｍｓあったかどうかを判断することで瞬時停電による誤報知を防止している。
【００２５】
ステップ２０８では停電発生時の炊飯器の動作モードを確認しており、停電発生時が炊飯モードまたは保温モードであれば機器動作中に電源コード接続部５から電源コード６がはずれた可能性があるため、ステップ２０９にて制御手段１１は報知手段１０を駆動し、（０．１秒オン−０．０５秒オフ）の３回繰り返しの鳴動パターンにて使用者に報知する。このとき、停電中ではあるが報知手段１０へは電源回路１２により電力を供給されるため、報知手段１０は報知音を鳴動させることができる。
【００２６】
このように本実施例によれば、停電検知手段７が商用交流電源４の通電状態から所定の時間（例えば、２００ミリ秒）以上停電を検知すると、報知手段１０により報知するよう構成したので、停電検知手段７が商用交流電源４の通電状態から所定の時間以上停電を検知した場合、電源コード６の電源コード接続部５からの脱落とみなし、電源コード６の脱落を報知手段１０により報知することで、電源コード６が電源コード接続部５での着脱を使用者が認知しやすくすることができ、電源コード６が電源コード接続部５で脱落したとしても報知音により気づくことができて、使い勝手を向上することができる。
【００２７】
また、所定の機器動作モード、すなわち、炊飯モードまたは保温モードであれば、停電検知手段７が商用交流電源４の通電状態から停電を検知すると、報知手段１０により報知するよう構成したので、必ずしも電源コード６を電源コード接続部５から外すたびに報知音が鳴動しないことになり、使用者に与える不快感を軽減することができる。
【００２８】
また、停電検知手段７が商用交流電源４の通電状態から停電を検知したとき報知手段１０により報知する鳴動パターンを他の鳴動パターンと異なるようにしたので、使用者は電源コード６が電源コード接続部５から脱落したことをより容易に認識することができる。
【００２９】
なお、本実施例では、プラグ抜け報知の鳴動パターンを（０．１秒オン−０．０５秒オフ）の３回繰り返しとしたが、特にこの鳴動パターンでなくともよい。また、プラグ抜け報知を行う所定の停電時間は２００ミリ秒としたが、２００ミリ秒でなくともよい。また、プラグ抜け報知を行う機器動作モードは炊飯モードと保温モードに限らずともよい。
【００３０】
（実施例２）
図３に示すように、制御手段１３は、直流電源回路３により電力を供給され、複数のキーからなる入力手段９からの入力により所定のシーケンスにより炊飯器の動作を制御するとともに、停電検知手段７が商用交流電源４の所定の時間（例えば、２００ミリ秒）以上の停電状態からの復電を検知すると、報知手段１０により報知するよう構成している。
【００３１】
上記構成において動作を説明する。電源コード６が商用交流電源４と電源コード接続部５に接続されている状態では、制御手段１３は停電検知手段７からのＺＶＰ入力により電源コード６が電源コード接続部５に接続されていると判断しており、この状態において使用者は炊飯器を使用することができる。使用者は入力手段９での入力により制御手段１３を制御することで、炊飯や保温を開始、あるいは停止させることができる。
【００３２】
制御手段１３は入力手段９での入力受付を使用者に認知させるために、報知手段１０を（０．１秒オン）の１回の鳴動パターンにて駆動する。また、使用者に炊飯が終了したことを認知させるために、報知手段１０を（０．１秒オン−０．１秒オフ−０．５秒オン−０．５秒オフ）の６回繰り返しの鳴動パターンにて駆動する。
【００３３】
つぎに、電源コード６が電源コード接続部５から脱落した後、電源コード６を電源コード接続部５に接続したときの動作を説明する。
【００３４】
まず、電源コード６が電源コード接続部５から脱落すると、制御手段１３は停電検知手段７からのＺＶＰ入力が途絶えることで停電と判断する。制御手段１３は炊飯器を停電時における所定の状態となるための処理を行うが、この処理の一つとしてプラグ抜け検知処理を行う。図４はプラグ抜け検知処理の要部を示すフローチャートである。
【００３５】
まず、ステップ４０１にて停電時間カウンタとＺＶＰ回数カウンタをクリアする。ステップ４０２では停電検知手段７からのＺＶＰ入力の有無によりステップ４０３とステップ４０４に分岐する。ステップ４０３ではＺＶＰ回数カウンタを加算し、ステップ４０４では停電時間カウンタを加算し、ともにステップ４０５に進み、ステップ４０５で１０ｍｓ（ミリ秒）のディレイを行った後、ステップ４０６に進む。
【００３６】
ステップ４０６でＺＶＰ回数カウンタが３２以上であれば復電したとみなし、プラグ差し報知を行わせないため、ステップ４１２にて報知フラグを下ろした後、復電処理に移行する。ステップ４０６でＺＶＰ回数カウンタが３２未満であればステップ４０７で停電時間カウンタの確認を行う。ステップ４０７で停電時間カウンタが２０未満、すなわち停電時間が少なくとも２００ｍｓ未満であればステップ４０２に戻る。
【００３７】
ステップ４０７で停電時間が少なくとも２００ｍｓ以上であったと判断するとステップ４１１に進む。このステップ４０７で停電時間が２００ｍｓあったかどうかを判断することで瞬時停電とプラグ抜けを区別し、復電後の誤報知を防止している。ステップ４１１で復電後にプラグ差し報知を行うかどうかの判断基準となる報知フラグを立てた後、停電モードとなる。
【００３８】
つぎに、電源コード６を電源コード接続部５に接続されると停電モードから所定の処理を経てメイン処理に戻るが、メイン処理に戻る過程においてその際プラグ差し報知を行うかを判断する。すなわち、メイン処理に戻るまでの過程において図５に示すプラグ差し報知処理があり、ステップ５０１で報知フラグの状態を確認し、報知フラグが立っていればステップ５０２で制御手段１３は報知手段１０を駆動し、（０．１秒オン−０．０５秒オフ）の２回繰り返しの鳴動パターンにて使用者に炊飯器と商用交流電源４が接続された旨報知する。報知フラグが立っていなければプラグ差し報知は行わず、メイン処理に戻る。
【００３９】
このように本実施例によれば、停電検知手段７が商用交流電源４の所定の時間（例えば、２００ミリ秒）以上の停電状態からの復電を検知すると、報知手段１０により報知するよう構成したので、使用者は電源コード６が電源コード接続部５に接続されたことを報知音により認識することができ、使い勝手を向上することができる。
【００４０】
また、停電検知手段７が商用交流電源４の停電状態からの復電を検知したとき報知手段１０により報知する鳴動パターンを他の鳴動パターンと異なるようにしたので、使用者は電源コード６が電源コード接続部５に接続されたことをより容易に認識することができる。
【００４１】
なお、本実施例ではプラグ差し報知の鳴動パターンを（０．１秒オン−０．０５秒オフ）の２回繰り返しとしたが、特にこの鳴動パターンでなくともよい。また、プラグ差し報知を行う所定の停電時間は２００ｍｓとしたがとくに２００ｍｓでなくともよい。
【００４２】
（実施例３）
図６に示すように、制御手段１４は、直流電源回路３により電力を供給され、複数のキーからなる入力手段９からの入力により所定のシーケンスにより炊飯器の動作を制御するとともに、停電検知手段７が商用交流電源４の通電状態から所定の時間（例えば、２００ミリ秒）以上停電を検知すると、報知手段１０により報知するよう構成し、停電検知手段７が商用交流電源４の所定の時間（例えば、２００ミリ秒）以上の停電状態からの復電を検知すると、報知手段１０により報知するよう構成している。電源回路１２は停電後であっても報知手段１０へ電力を供給するものである。
【００４３】
ここで、停電検知手段７が所定の時間以上停電を検知したとき報知手段１０により報知する鳴動パターンと、停電検知手段７が所定の時間以上の停電状態からの復電を検知したとき報知手段１０により報知する鳴動パターンとを同じにしている。
【００４４】
上記構成において動作を説明する。電源コード６が商用交流電源４と電源コード接続部５に接続されている状態では、制御手段１４は停電検知手段７からのＺＶＰ入力により電源コード６が電源コード接続部５に接続されていると判断しており、この状態において使用者は炊飯器を使用することができる。使用者は入力手段９での入力により制御手段１４を制御することで、炊飯や保温を開始、あるいは停止させることができる。
【００４５】
制御手段１４は入力手段９での入力受付を使用者に認知させるために、報知手段１０を（０．１秒オン）の１回の鳴動パターンにて駆動する。また、使用者に炊飯が終了したことを認知させるために、報知手段１０を（０．１秒オン−０．１秒オフ−０．５秒オン−０．５秒オフ）の６回繰り返しの鳴動パターンにて駆動する。
【００４６】
つぎに、電源コード６が電源コード接続部５から脱落した後、電源コード６を電源コード接続部５に接続したときの動作を説明する。
【００４７】
まず、電源コード６が電源コード接続部５から脱落すると、制御手段１４は停電検知手段７からのＺＶＰ入力が途絶えることで停電を検知する。制御手段１４は炊飯器を停電時における所定の状態となるための処理を行うが、この処理の一つとしてプラグ抜け報知処理を行う。図７はプラグ抜け報知処理の要部を示すフローチャートである。
【００４８】
まず、ステップ６０１にて停電時間カウンタとＺＶＰ回数カウンタをクリアする。ステップ６０２では停電検知手段７からのＺＶＰ入力の有無によりステップ６０３とステップ６０４に分岐する。ステップ６０３ではＺＶＰ回数カウンタを加算し、ステップ６０４では停電時間カウンタを加算し、ともにステップ６０５に進み、ステップ６０５で１０ｍｓ（ミリ秒）のディレイを行った後、ステップ６０６に進む。
【００４９】
ステップ６０６でＺＶＰ回数カウンタが３２以上であれば復電したとみなし、プラグ差し報知を行わせないため、ステップ６１２にて報知フラグを下ろした後復電処理に移行する。ステップ６０６でＺＶＰ回数カウンタが３２未満であればステップ６０７で停電時間カウンタの確認を行う。ステップ６０７で停電時間カウンタが２０未満、すなわち停電時間が少なくとも２００ｍｓ未満であればステップ６０２に戻る。
【００５０】
ステップ６０７で停電時間が少なくとも２００ｍｓ以上であったと判断するとステップ６１１に進む。このステップ６０７で停電時間が２００ｍｓあったかどうかを判断することで瞬時停電とプラグ抜けを区別し、復電後の誤報知を防止している。
【００５１】
ステップ６１１で復電後にプラグ差し報知を行うかどうかの判断基準となる報知フラグを立て、ステップ６０８では停電発生時の炊飯器の動作モードを確認し、停電発生時が炊飯モードまたは保温モードであれば機器動作中に電源コード接続部５から電源コード６がはずれた可能性があるため、ステップ６０９にて制御手段１４は報知手段１０を駆動し、（０．１秒オン−０．０５秒オフ）の３回繰り返しの鳴動パターンにて使用者に報知する。このとき、停電中ではあるが報知手段１０へは電源回路１２により電力を供給されるため、報知手段１０は報知音を鳴動させることができる。
【００５２】
つぎに、電源コード６を電源コード接続部５に接続されると、停電モードから所定の処理を経てメイン処理に戻る。このメイン処理に戻る過程において、その際プラグ差し報知を行うかを判断する。すなわち、メイン処理に戻るまでの過程において、図５に示すプラグ差し報知処理があり、ステップ５０１で報知フラグの状態を確認し、報知フラグが立っていればステップ５０２で、制御手段１４は報知手段１０を駆動し、（０．１秒オン−０．０５秒オフ）の３回繰り返しの鳴動パターンにて使用者に炊飯器と商用交流電源４が接続された旨報知する。報知フラグが立っていなければプラグ差し報知は行わず、メイン処理に戻る。
【００５３】
このように本実施例によれば、停電検知手段７が所定の時間（２００ミリ秒）以上停電を検知したとき報知手段１０により報知する鳴動パターンと、停電検知手段７が所定の時間（２００ミリ秒）以上の停電状態からの復電を検知したとき報知手段１０により報知する鳴動パターンとを同じにしたので、使用者は電源コード６のみに関する操作を行ったことを認識することができる。
【００５４】
なお、本実施例では、プラグ抜け報知とプラグ差し報知の鳴動パターンを（０．１秒オン−０．０５秒オフ）の３回繰り返しとしたが、特にこの鳴動パターンでなくともよい。
【００５５】
また、プラグ抜け報知を行う所定の停電時間は２００ｍｓとしたが、特に２００ｍｓでなくともよい。また、プラグ抜け報知を行う機器動作モードは炊飯モードと保温モードに限らずともよい。
【００５６】
【発明の効果】
以上のように本発明の請求項１に記載の発明によれば、停電検知手段が商用交流電源の通電状態から所定の時間以上停電を検知すると、報知手段により報知するよう構成したから、電源コードの脱落を使用者に積極的に知らせるプラグ抜け報知をすることができ、使用者は炊飯中などの不意のプラグ抜けなどに気付きやすくなり、プラグ抜けによる炊飯の中断やご飯の出来栄えへの影響を軽減させることができて、使い勝手を向上することができる。
【００５７】
また、請求項２に記載の発明によれば、所定の機器動作モードにおいて、停電検知手段が商用交流電源の通電状態から停電を検知すると、報知手段により報知するよう構成したから、必ずしも通電状態から所定時間以上の停電検知を電源コードの電源コード接続部からの脱落とみなさず、電源コードを電源コード接続部から外すたびに報知音が鳴動しない。このことにより、積極的に報知すべき機器動作モードにおいてのみ報知音が鳴動することになり、使用者に与える不快感を軽減することができる。
【００５８】
また、請求項３に記載の発明によれば、停電検知手段が商用交流電源の通電状態から停電を検知したとき報知手段により報知する鳴動パターンは、他の鳴動パターンと異なるようにしたから、使用者は電源コードが電源コード接続部から脱落したことをより容易に認識することができる。
【００５９】
また、請求項４に記載の発明によれば、停電検知手段が商用交流電源の所定の時間以上の停電状態からの復電を検知すると、報知手段により報知するよう構成したから、使用者は電源コードが電源コード接続部に接続されたことを報知音により認識することができ、使い勝手を向上することができる。
【００６０】
また、請求項５に記載の発明によれば、停電検知手段が商用交流電源の停電状態からの復電を検知したとき報知手段により報知する鳴動パターンは、他の鳴動パターンと異なるようにしたから、使用者は電源コードが電源コード接続部に接続されたことをより容易に認識することができる。
【００６１】
また、請求項６に記載の発明によれば、請求項１または２記載の停電検知手段が所定の時間以上停電を検知したとき報知手段により報知する鳴動パターンと、請求項４記載の停電検知手段が所定の時間以上の停電状態からの復電を検知したとき報知手段により報知する鳴動パターンとを同じにしたから、使用者は電源コードのみに何らかの操作がなされたことを認知することが容易となる。
【図面の簡単な説明】
【図１】本発明の第１の実施例の炊飯器のブロック図
【図２】同炊飯器のプラグ抜け報知の要部動作フローチャート
【図３】本発明の第２の実施例の炊飯器のブロック図
【図４】同炊飯器のプラグ抜け検知の要部動作フローチャート
【図５】同炊飯器のプラグ差し報知の要部動作フローチャート
【図６】本発明の第３の実施例の炊飯器のブロック図
【図７】同炊飯器のプラグ抜け報知の要部動作フローチャート
【図８】従来の炊飯器のブロック図
【符号の説明】
１  鍋
２  加熱手段
３  直流電源回路
４  商用交流電源
５  電源コード接続部
６  電源コード
７  停電検知手段
９  入力手段
１０  報知手段
１１  制御手段
１２  電源回路
【図１】
2004313377.tif 000003
【図２】
2004313377.tif 000004
【図３】
2004313377.tif 000005
【図４】
2004313377.tif 000006
【図５】
2004313377.tif 000007
【図６】
2004313377.tif 000008
【図７】
2004313377.tif 000009
【図８】
2004313377.tif 000010